(57)【特許請求の範囲】
【請求項１】
移動体ごとに携帯された非接触データキャリアを読み取る読取端末と、
施設ごとに設置された前記読取端末とネットワークを介して接続している管理サーバと、
を有する移動体情報通知システムであって、
前記読取端末は、
移動体識別情報を格納する前記非接触データキャリアから前記移動体識別情報を取得する移動体識別情報取得手段と、
通常用の読取モードまたは緊急用の読取モードにより、前記移動体から前記非接触データキャリアの提示を受け付けるデータキャリア受付手段と、
前記読取端末を個々に識別する端末識別情報を記憶する端末識別情報記憶手段と、
取得された前記移動体識別情報と、記憶された前記端末識別情報と、前記非接触データキャリアの提示を受け付けたときの前記読取モードを示すモード情報とを関連づけて前記管理サーバに送信する情報送信手段と、を備え、
前記管理サーバは、
移動体の位置情報を通知する利用者端末の宛先を前記移動体識別情報に対応づけて記憶する利用者情報記憶手段と、
前記施設の位置情報を前記端末識別情報に対応づけて記憶する位置情報記憶手段と、
受信した前記移動体識別情報に対応する前記宛先と、受信した前記端末識別情報に対応する前記施設の位置情報とをそれぞれ抽出する抽出手段と、
抽出された前記施設の位置情報と、受信した前記移動体識別情報とを含めてメッセージを作成するメッセージ作成手段と、
抽出された前記宛先に、作成された前記メッセージを送信するメッセージ送信手段と、
を備えることを特徴とする移動体情報通知システム。  
【請求項２】
前記位置情報記憶手段は、前記読取端末が設置された前記施設への経路情報を前記端末識別情報に対応づけて記憶し、
前記データキャリア受付手段が前記緊急用の読取モードにより前記非接触データキャリアの提示を受け付けたとき、前記抽出手段は、受信した前記端末識別情報に対応する前記経路情報を抽出し、
前記メッセージ作成手段は、抽出された前記経路情報を含めて前記メッセージを作成することを特徴とする請求項１に記載の移動体情報通知システム。
【請求項３】
前記位置情報記憶手段は、前記読取端末が設置された前記施設への経路情報を前記端末識別情報に対応づけて記憶し、
前記データキャリア受付手段が前記通常用の読取モードにより前記非接触データキャリアの提示を受け付けたとき、前記メッセージ送信手段は、前記メッセージの送信とともに前記利用者端末に前記経路情報の要否を問い合わせることを特徴とする請求項１または２に記載の移動体情報通知システム。
【請求項４】
前記経路情報の要求を前記利用者端末から受け付けたとき、前記抽出手段は、受信した前記端末識別情報に対応する前記経路情報を抽出し、前記メッセージ送信手段は、抽出された前記経路情報を送信することを特徴とする請求項３に記載の移動体情報通知システム。
【請求項５】
前記非接触データキャリアから前記移動体識別情報を取得したとき、ポイントをインクリメントするポイント蓄積手段をさらに備えることを特徴とする請求項１乃至４いずれかに記載の移動体情報通知システム。
【請求項６】
請求項１乃至５いずれかに記載の移動体情報通知システムが有する読取端末によって、情報を読み取られる非接触データキャリアであって、乗車券を共用することを特徴とする非接触データキャリア。
【請求項７】
請求項１乃至５いずれかに記載の移動体情報通知システムが有する読取端末であって、
前記移動体識別情報を格納する前記非接触データキャリアから前記移動体識別情報を取得する移動体識別情報取得手段と、
通常用の読取モードまたは緊急用の読取モードにより、前記移動体から前記非接触データキャリアの提示を受け付けるデータキャリア受付手段と、
前記読取端末を個々に識別する端末識別情報を記憶する端末識別情報記憶手段と、
取得された前記移動体識別情報と、記憶された前記端末識別情報と、前記非接触データキャリアの提示を受け付けたときの前記読取モードを示すモード情報とを関連づけて前記管理サーバに送信する情報送信手段と、
を備えることを特徴とする読取端末。
【請求項８】
請求項１乃至５いずれかに記載の移動体情報通知システムが有する管理サーバであって、
移動体の位置情報を通知する利用者端末の宛先を前記移動体識別情報に対応づけて記憶する利用者情報記憶手段と、
前記施設の位置情報を前記端末識別情報に対応づけて記憶する位置情報記憶手段と、
受信した前記移動体識別情報に対応する前記宛先と、受信した前記端末識別情報に対応する前記施設の位置情報とをそれぞれ抽出する抽出手段と、
抽出された前記施設の位置情報と、受信した前記移動体識別情報とを含めてメッセージを作成するメッセージ作成手段と、
抽出された前記宛先に、作成された前記メッセージを送信するメッセージ送信手段とを備え、
前記位置情報記憶手段は、前記読取端末が設置された前記施設への経路情報を前記端末識別情報に対応づけて記憶し、
前記データキャリア受付手段が前記緊急用の読取モードにより前記非接触データキャリアの提示を受け付けたとき、前記抽出手段は、受信した前記端末識別情報に対応する前記経路情報を抽出し、
前記メッセージ作成手段は、抽出された前記経路情報を含めて前記メッセージを作成することを特徴とする管理サーバ。
【請求項９】
請求項７に記載の読取端末のデータ処理方法であって、
前記移動体識別情報を格納する前記非接触データキャリアから前記移動体識別情報を取得するステップと、
通常用の読取モードまたは緊急用の読取モードにより、前記移動体から前記非接触データキャリアの提示を受け付けるステップと、
前記読取端末を個々に識別する前記端末識別情報を取得するステップと、
取得された前記移動体識別情報と、取得された前記端末識別情報と、前記非接触データキャリアの提示を受け付けたときの前記読取モードを示すモード情報とを関連づけて前記管理サーバに送信するステップと、
を含むことを特徴とするデータ処理方法。
【請求項１０】
請求項８に記載の管理サーバのデータ処理方法であって、
移動体の位置情報を通知する利用者端末の宛先を前記移動体識別情報に対応づけて取得するステップと、
前記施設の位置情報を前記端末識別情報に対応づけて取得するステップと、
受信した前記移動体識別情報に対応する前記宛先と、受信した前記端末識別情報に対応する前記施設の位置情報とをそれぞれ抽出するステップと、
前記読取端末が設置された前記施設への経路情報を前記端末識別情報に対応づけて記憶するステップと、
抽出された前記施設の位置情報と、受信した前記移動体識別情報とを含めてメッセージを作成するステップと、
前記データキャリア受付手段が前記緊急用の読取モードにより前記非接触データキャリアの提示を受け付けたとき、受信した前記端末識別情報に対応する前記経路情報を抽出するステップと、
抽出された前記経路情報を含めて前記メッセージを作成するステップと、
を含むことを特徴とするデータ処理方法。
【請求項１１】
請求項７に記載の読取端末のためのコンピュータプログラムであって、
前記移動体識別情報を格納する前記非接触データキャリアから前記移動体識別情報を取得する移動体識別情報取得処理と、
通常用の読取モードまたは緊急用の読取モードにより、前記移動体から前記非接触データキャリアの提示を受け付けるデータキャリア受付機能と、
前記読取端末を個々に識別する前記端末識別情報を記憶する端末識別情報記憶処理と、
取得された前記移動体識別情報と、記憶された前記端末識別情報と、前記非接触データキャリアの提示を受け付けたときの前記読取モードを示すモード情報とを関連づけて前記管理サーバに送信する情報送信処理と、
を前記読取端末に実行させることを特徴とするコンピュータプログラム。
【請求項１２】
請求項８に記載の管理サーバのためのコンピュータプログラムであって、
移動体の位置情報を通知する利用者端末の宛先を前記移動体識別情報に対応づけて記憶する利用者情報記憶処理と、
前記施設の位置情報を前記端末識別情報に対応づけて記憶する位置情報記憶処理と、
受信した前記移動体識別情報に対応する前記宛先と、受信した前記端末識別情報に対応する前記施設の位置情報とをそれぞれ抽出する抽出処理と、
前記読取端末が設置された前記施設への経路情報を前記端末識別情報に対応づけて記憶する処理と、
抽出された前記施設の位置情報と、受信した前記移動体識別情報とを含めてメッセージを作成するメッセージ作成処理と、
抽出された前記宛先に、作成された前記メッセージを送信するメッセージ送信処理と、
前記データキャリア受付手段が前記緊急用の読取モードにより前記非接触データキャリアの提示を受け付けたとき、受信した前記端末識別情報に対応する前記経路情報を抽出する処理と、
抽出された前記経路情報を含めて前記メッセージを作成する処理と、
を前記管理サーバに実行させることを特徴とするコンピュータプログラム。
【発明の詳細な説明】
【技術分野】
【０００１】
本発明は、ネットワークを介して、移動体の位置情報を利用者に通知する移動体情報通知システム、これに用いる非接触データキャリア、読取端末、管理サーバ、これらのデータ処理方法、そのコンピュータプログラムに関する。
【背景技術】
【０００２】
現在、学童の安心安全用位置情報を提供するサービスは携帯電話をユーザ端末として利用するものが中心である。携帯電話は基本使用料、パケット利用料などランニングコストが高額であり、また有害な情報サイトに学童を近づける危険性もあり、子供に利用させるかどうかは保護者の判断よりまちまちである。そのため一律的な適用が求められる公立学校において導入するには壁がある。
【０００３】
一方、携帯電話を使わずにＩＣカード等のデータキャリアを用いて学校、駅などの入退場を履歴として残すしくみのものはある。しかし、カードリーダの設置する場所が限定されていた。
【０００４】
親の間で子供に現金をお小遣いとして渡す代わりにクレジット機能のないマネーカードに現金をチャージして渡すケースも見られる。このようなマネーカードには、定期券として共用されるものもある。  
【０００５】
現在、上述のような学童の位置情報を提供するシステムとして各種の提案がある（例えば、特許文献１乃至３参照）。
【特許文献１】特開２００６−０４８５９７号公報
【特許文献２】特開２００７−０１１６００号公報
【特許文献３】特開２００７−１５７００５号公報
【発明の開示】
【発明が解決しようとする課題】
【０００６】
しかしながら、親が携帯電話を個別に買い与え、位置情報取得の機能を用いて子供の所在を確認したり、子供が自分の位置を親に知らせたりすると、費用負担が大きい。
【０００７】
また、特許文献３の技術は、特定の場所の通過、入退場を管理するため、費用がかさむＧＰＳ（Ｇｌｏｂａｌ  Ｐｏｓｉｔｉｏｎｉｎｇ  Ｓｙｓｔｅｍ）携帯サービスの代替として安価な位置情報をインフラを実現していない。
【０００８】
このような事情は、学童だけでなく、介護される老人の位置管理等においても、同様に生ずる問題である。
【０００９】
本発明は上述のような課題に鑑みてなされたものであり、ＧＰＳシステムのような高価な方法によらず、安価な方法で利用者に移動体の所在を知らせることができる移動体情報通知システムを提供するものである。
【課題を解決するための手段】
【００１０】
本発明によれば、移動体ごとに携帯された非接触データキャリアを読み取る読取端末と、
施設ごとに設置された読取端末とネットワークを介して接続している管理サーバと、
を有する移動体情報通知システムであって、
上記読取端末は、
移動体識別情報を格納する非接触データキャリアから移動体識別情報を取得する移動体識別情報取得手段と、
読取端末を個々に識別する端末識別情報を記憶する端末識別情報記憶手段と、
取得された移動体識別情報と、記憶された端末識別情報とを関連づけて管理サーバに送信する情報送信手段と、を備え、
上記管理サーバは、
移動体の位置情報を通知する利用者端末の宛先を移動体識別情報に対応づけて記憶する利用者情報記憶手段と、
施設の位置情報を端末識別情報に対応づけて記憶する位置情報記憶手段と、
受信した移動体情報に対応する宛先と、受信した端末識別情報に対応する施設の位置情報とをそれぞれ抽出する抽出手段と、
抽出された施設の位置情報と、受信した移動体情報とを含めてメッセージを作成するメッセージ作成手段と、
抽出された宛先に、作成されたメッセージを送信するメッセージ送信手段と、
を備えることを特徴とする移動体情報通知システム  
が提供される。
【００１１】
また、本発明によれば、上記に記載の移動体情報通知システムが有する読取端末によって、情報を読み取られる非接触データキャリアであって、乗車券を共用することを特徴とする非接触データキャリア
が提供される。
【００１２】
また、本発明によれば、上記に記載の移動体情報通知システムが有する読取端末であって、
移動体識別情報を格納する非接触データキャリアから移動体識別情報を取得する移動体識別情報取得手段と、
読取端末を個々に識別する端末識別情報を記憶する端末識別情報記憶手段と、
取得された移動体識別情報と、記憶された端末識別情報とを関連づけて管理サーバに送信する情報送信手段と、
を備えることを特徴とする読取端末
が提供される。
【００１３】
また、本発明によれば、上記に記載の移動体情報通知システムが有する管理サーバであって、
移動体の位置情報を通知する利用者端末の宛先を移動体情報に対応づけて記憶する利用者情報記憶手段と、
施設の位置情報を端末識別情報に対応づけて記憶する位置情報記憶手段と、
受信した移動体情報に対応する宛先と、受信した端末識別情報に対応する施設の位置情報とをそれぞれ抽出する抽出手段と、
抽出された施設の位置情報と、受信した移動体情報とを含めてメッセージを作成するメッセージ作成手段と、
抽出された宛先に、作成されたメッセージを送信するメッセージ送信手段と、
を備えることを特徴とする管理サーバ
が提供される。
【００１４】
また、本発明によれば、上記に記載の読取端末のデータ処理方法であって、
移動体識別情報を格納する非接触データキャリアから移動体識別情報を取得するステップと、
読取端末を個々に識別する端末識別情報を取得するステップと、
取得された移動体識別情報と、取得された端末識別情報とを関連づけて管理サーバに送信するステップと、
を含むことを特徴とするデータ処理方法
が提供される。
【００１５】
また、本発明によれば、上記に記載の管理サーバのデータ処理方法であって、
移動体の位置情報を通知する利用者端末の宛先を移動体情報に対応づけて取得するステップと、
施設の位置情報を端末識別情報に対応づけて取得するステップと、
受信した移動体情報に対応する宛先と、受信した端末識別情報に対応する施設の位置情報とをそれぞれ抽出するステップと、
抽出された施設の位置情報と、受信した移動体情報とを含めてメッセージを作成するステップと、
抽出された宛先に、作成されたメッセージを送信するステップと、
を含むことを特徴とするデータ処理方法
が提供される。
【００１６】
また、本発明によれば、上記に記載の読取端末のためのコンピュータプログラムであって、
移動体識別情報を格納する非接触データキャリアから移動体識別情報を取得する移動体識別情報取得処理と、
読取端末を個々に識別する端末識別情報を記憶する端末識別情報記憶処理と、
取得された移動体識別情報と、記憶された端末識別情報とを関連づけて管理サーバに送信する情報送信処理と、
を読取端末に実行させることを特徴とするコンピュータプログラム
が提供される。
【００１７】
また、本発明によれば、
上記に記載の管理サーバのためのコンピュータプログラムであって、    
移動体の位置情報を通知する利用者端末の宛先を移動体情報に対応づけて記憶する利用者情報記憶処理と、
施設の位置情報を端末識別情報に対応づけて記憶する位置情報記憶処理と、
受信した移動体情報に対応する宛先と、受信した端末識別情報に対応する施設の位置情報とをそれぞれ抽出する抽出処理と、
抽出された施設の位置情報と、受信した移動体情報とを含めてメッセージを作成するメッセージ作成処理と、
抽出された宛先に、作成されたメッセージを送信するメッセージ送信処理と、
を管理サーバに実行させることを特徴とするコンピュータプログラム
が提供される。
【００１８】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１９】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００２０】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００２１】
また、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００２２】
また、本発明で云う読取端末および管理サーバは、コンピュータプログラムを読み取って対応するデータ処理を実行できるように、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、Ｉ／Ｆ（Ｉｎｔｅｒｆａｃｅ）ユニット、等の汎用デバイスで構築されたハードウェア、所定のデータ処理を実行するように構築された専用の論理回路、これらの組み合わせ、等として実施することができる。
【００２３】
なお、本発明でコンピュータプログラムに対応した各種動作を読取端末および管理サーバに実行させることは、各種デバイスを読取端末および管理サーバに動作制御させることなども意味している。
【００２４】
例えば、読取端末および管理サーバに各種データを記憶させることは、データ処理装置に固定されているＨＤＤ（Ｈａｒｄ  Ｄｉｓｃ  Ｄｒｉｖｅ）等の情報記憶媒体にＣＰＵが各種データを格納すること、読取端末および管理サーバに交換自在に装填されているＣＤ−Ｒ（Ｃｏｍｐａｃｔ  Ｄｉｓｃ−Ｒｅｃｏｒｄａｂｌｅ）等の情報記憶媒体にＣＰＵがＣＤドライブで各種データを格納すること、等でよい。
【発明の効果】
【００２５】
本発明によれば、ＧＰＳシステムのような高価な方法によらず、安価な方法で利用者に移動体の所在を知らせることができる移動体情報通知システムが提供される。
【発明を実施するための最良の形態】
【００２６】
以下、本発明の実施の形態について、図面を用いて説明する。尚、すべての図面において、同様な構成要素には同様の符号を付し、適宜説明を省略する。
【００２７】
図１は、本実施形態の移動体情報通知システムの全体構成を示す説明図である。本実施形態は、移動体である学童ごとに携帯された非接触データキャリアであるユーザ端末１０を読み取る読取端末１００と、施設ごとに設置された読取端末１００とネット回線１を介して接続している管理サーバ４０（サーバ）と、を有する移動体情報通知システムである。読取端末１００は、カードリーダ２０Ａと、カードリーダ２０Ｂと、パーソナルコンピュータ（ＰＣ）５０で構成されている。
【００２８】
図２は、本実施形態の読取端末の構成を模式的に示すブロック図である。読取端末１００は、ユーザ端末１０から移動体識別情報として学童ＩＤを取得する学童ＩＤ取得部２０１と、カードリーダ２０を個々に識別する端末識別情報としてのカードリーダＩＤを記憶する端末識別情報記憶部２０３と、取得された学童ＩＤと、記憶されたカードリーダＩＤをとを関連づけて管理サーバ４０に送信する情報送信部２０５と、を備える。
【００２９】
図３は、本実施形態の管理サーバ４０の構成を模式的に示すブロック図である。管理サーバ４０は、学童の位置情報を通知する利用者端末である保護者の携帯電話の宛先を学童ＩＤに対応づけて記憶する保護者情報記憶部４０１と、施設の位置情報をカードリーダＩＤに対応づけて記憶する位置情報記憶部４１１と、受信した学童ＩＤに対応する宛先と、受信したカードリーダＩＤに対応する施設の位置情報とをそれぞれ抽出する抽出部４０５と、抽出された施設の位置情報と、受信した学童ＩＤとを含めてメッセージを作成するメッセージ作成部４０７と、抽出された宛先に、作成されたメッセージを送信するメッセージ送信部４０９と、を備える。
【００３０】
具体的には、本実施形態の移動体情報通信システムは、ユーザ端末１０と、読取端末１００と、管理サーバ４０と、携帯電話３０と、から構成される。読取端末１００と、管理サーバ４０とは、ネット回線１を介して接続している。また、ネット回線１と、携帯電話３０とは、携帯電話網２を介して接続されている。
【００３１】
ユーザ端末１０、読取端末１００、携帯電話３０、管理サーバ４０はインターネット等のネットワークを介して相互に接続されている。ネットワークは、ネット回線１および携帯電話網２から構成されている。ネット回線１は、読取端末１００と管理サーバ４０とのデータ通信を仲介できるものであればよく、有線、無線、これらの組み合わせ、でよい。また、携帯電話網２は、ネット回線１と携帯電話３０とのデータ通信を仲介できるものであればよく、有線、無線、これらの組み合わせ、でよい。
【００３２】
ユーザ端末１０は、学童に携帯される非接触データキャリアである。ユーザ端末１０には、学童ＩＤを含むユーザ情報が格納される。また、ユーザ端末１０は、学童の保護者に携帯されてもよい。この場合、ユーザ端末１０には、保護者を識別する保護者ＩＤを含むユーザ情報が格納される。ユーザ端末１０は、マネーカードとして使用することができる。また、ユーザ端末１０は、乗車券が共用される交通ＩＣカードであってもよい。ユーザ端末１０は、学童の通学や保護者の通勤に利用される定期券として機能することもできる。ユーザ端末１０は学童や保護者がカードリーダ２０にタッチさせることにより、ＰＣ５０側にインストールされた専用ソフトと連携し、ユーザ端末１０が持つ情報をＰＣ５０に読み込ませる機能を備えている。
【００３３】
カードリーダ２０は、ユーザからユーザ端末１０を提示されると、ユーザ端末１０に格納されたユーザ情報を抽出する。抽出されたユーザ情報は、ＰＣ５０に送出される。カードリーダ２０は、街中の不特定な施設を拠点として設置される。施設には、たとえば、コンビニエンスストア、店舗、公共施設等が挙げられる。カードリーダ２０はインターネットに接続されたＰＣ５０にＵＳＢ接続することで利用可能なものである。
【００３４】
携帯電話３０は、保護者または教師によって携帯されるメール機能付きの携帯電話である。また、携帯電話３０は、ＧＰＳ機能を備えることもできる。管理サーバ４０は、学童等の所在を通知する機能を有している。なお、携帯電話３０は、ＰＨＳやＰＤＡであってもよい。
【００３５】
読取端末１００は、ＰＣ５０と、ＰＣ５０と接続しているカードリーダ２０Ａおよびカードリーダ２０Ｂとから構成されている。カードリーダ２０Ａは、緊急モードに使用することができる。また、カードリーダ２０Ｂは、通常モードに使用することができる。
【００３６】
読取端末１００の構成を図２を用いて説明する。読取端末１００は、学童ＩＤ取得部２０１と、端末識別情報記憶部２０３と、情報送信部２０５と、から構成される。
【００３７】
学童ＩＤ取得部２０１は、カードリーダ２０が抽出したユーザ情報を受け付けると、ユーザ情報に含まれる学童ＩＤを取得する。学童ＩＤは、学童を識別する情報である。
【００３８】
端末識別情報記憶部２０３は、カードリーダＩＤを記憶する。カードリーダＩＤは、カードリーダ２０ごとに与えられる識別情報である。
【００３９】
情報送信部２０５は、取得された学童ＩＤと、記憶されたカードリーダＩＤをとを関連づけて管理サーバ４０に送信する。
【００４０】
管理サーバ４０の構成を図３を用いて説明する。管理サーバ４０は、保護者情報記憶部４０１と、情報受信部４０３と、抽出部４０５と、メッセージ作成部４０７と、メッセージ送信部４０９と、位置情報記憶部４１１と、ポイントデータベース４１３から構成される。
【００４１】
保護者情報記憶部４０１は、学童の位置情報を通知する携帯電話３０の宛先を学童ＩＤに対応づけて記憶する。宛先は、たとえば、携帯電話３０のインターネットアドレスである。保護者は複数いてもよい。保護者には、たとえば、両親、教師、祖父、祖母、ベビーシッター等、学童の安全を知るべき任意の人物とすることができる。保護者情報記憶部４０１には、携帯電話３０のインターネットアドレスを保護者を識別する保護者ＩＤとともに記憶してもよい。
【００４２】
位置情報記憶部４１１は、施設の位置情報をカードリーダＩＤに対応づけて記憶する。位置情報は、主に施設の場所を示す情報であり、施設の名称、住所、電話番号、最寄り駅等を表す。位置情報記憶部４１１は、施設までの経路情報を記憶してもよい。経路情報は、施設が設置された周囲の地図情報とすることができる。経路情報は、施設の最寄り駅から施設までの経路を示すものであってもよい。位置情報記憶部４１１は、経路情報をカードリーダＩＤに対応づけて記憶することもできる。
【００４３】
情報受信部４０３は、ネット回線１を介して読取端末１００から学童ＩＤと、カードリーダＩＤとを受信する。受信した学童ＩＤと、カードリーダＩＤとは、抽出部４０５に送出される。
【００４４】
抽出部４０５は、保護者情報記憶部４０１を参照し、情報受信部４０３が受信した学童ＩＤに対応する携帯電話３０のインターネットアドレスを抽出する。また、抽出部４０５は、位置情報記憶部４１１を参照し、受信したカードリーダＩＤに対応する施設の位置情報を抽出する。このとき、抽出部４０５は、保護者情報記憶部４０１の学童ＩＤにチェックを入れてもよい。また、保護者情報記憶部４０１に記憶された学童ＩＤと、位置情報記憶部４１１に記憶されたカードリーダＩＤとをリンクさせてもよい。こうすることにより、管理サーバ４０において、学童を保護監視状態に置くことができる。
【００４５】
メッセージ作成部４０７は、抽出された施設の位置情報と、受信した学童ＩＤとを含めてメッセージを作成する。
【００４６】
メッセージ送信部４０９は、抽出部４０５が抽出したインターネットアドレスを有する携帯電話３０に、メッセージ作成部４０７が作成したメッセージを送信する。
【００４７】
携帯電話３０がメッセージを受信すると、メッセージがディスプレイに表示される。図７は、携帯電話３０に表示されるメッセージの一例である。具体的には、メッセージは、日時３０１、宛先３０２、発信元３０３、タイトル３０４、本文３０５から構成される。日時３０１には、メッセージを送信した日時が入力される。宛先３０２は、抽出部４０５が抽出した携帯電話３０のインターネットアドレスが入力される。発信元３０３には、管理サーバ４０の名称とインターネットアドレスが入力される。タイトル３０４には、任意のデータを入力することができるが、対象の学童の名前等の学童ＩＤを入力すると、メッセージの目的が学童の位置情報を通知するものであることを一意に把握することができる。本文３０５には、施設の位置情報を含めることができる。図７の例では、カードリーダ２０がユーザ端末１０から学童ＩＤを取得した時刻およびそのカードリーダ２０が設置された施設の名称を通知する例を示している。
【００４８】
本文３０５は、経路情報の要否の問い合わせ情報を含んでいてもよい。携帯電話３０を操作する保護者または教師は、図７に示すボタン３０６を押下することにより経路情報を管理サーバ４０に要求することができる。
【００４９】
情報受信部４０３がネット回線１および携帯電話網２を介して地図情報の要求をから受け付けると、抽出部４０５は、位置情報記憶部４１１を参照し、対応する経路情報を抽出する。メッセージ送信部４０９は、抽出された地図情報を含むメッセージを作成し、携帯電話３０に送信する。
【００５０】
携帯電話３０は、管理サーバ４０から経路情報を受信してディスプレイに表示させる。携帯電話３０がＧＰＳ機能を備える場合、経路情報として、施設の周囲の地図情報を送信し、地図とともに携帯電話３０の現在位置を携帯電話３０のディスプレイに表示させて、施設までの経路を表示してもよい。また、地図情報は、施設までの路線情報であってもよい。
【００５１】
保護者は、路線情報を参照し、学童を出迎えにいくことができる。出迎えにいくと、保護者は自身のユーザ端末１０をカードリーダ２０に提示する。カードリーダ２０は、保護者ＩＤを読み取り、ＰＣ５０は、保護者ＩＤと、カードリーダＩＤと関連づけて管理サーバ４０へ送信する。管理サーバ４０は、保護者ＩＤと、カードリーダＩＤを受信すると、保護者情報記憶部４０１を参照し、対応する学童ＩＤのチェックボックスのチェックを外す。また、学童ＩＤとカードリーダＩＤとのリンクを消去する。これにより、学童の保護監視状態が解除される。
【００５２】
保護監視状態が解除された学童に、複数の保護者がいるとき、管理サーバ４０は、保護した保護者以外の保護者にメール送信してもよい。具体的には、抽出部４０５は、受信した保護者ＩＤ以外の保護者ＩＤの宛先を保護者情報記憶部４０１から抽出し、メッセージ作成部４０７に送出する。メッセージ作成部４０７は、受け付けた保護者の宛先に送信するためのメッセージを作成する。メッセージには、学童が保護されたことを通知する内容を含める。作成されたメッセージはメッセージ送信部４０９から送信される。
【００５３】
なお、学童ＩＤ取得部２０１は、緊急用の読取モードを有するカードリーダ２０Ａまたは通常用の読取モードを有するカードリーダ２０Ｂより、学童からユーザ端末１０の提示を受け付けることができる。このとき、情報送信部２０５は、ユーザ端末１０を受け付けたときの読取モードを示すモード情報とともに、取得したカードリーダＩＤを管理サーバ４０に送信してもよい。モード情報とは、緊急用または通常用のいずれかのモードを示す情報である。カードリーダ２０は、通常用の読取モードまたは緊急用の読取モードを備えていてもよい。こうすることにより、１台のカードリーダ２０でカードリーダ２０Ａの機能とカードリーダ２０Ｂの機能とを保持することができる。
【００５４】
また、上述のように、位置情報記憶部４１１は、読取端末１００が設置された施設への経路情報をカードリーダＩＤに対応づけて記憶することができる。学童ＩＤ取得部２０１がカードリーダ２０Ａからユーザ端末１０の提示を受け付けたとき、管理サーバ４０は、カードリーダＩＤから、緊急用の読取モードによりユーザ端末１０の提示を受け付けたことを把握する。そうすると、抽出部４０５は、情報受信部４０３によって受信されたカードリーダＩＤに対応する経路情報を位置情報とともに抽出する。メッセージ作成部４０７は、抽出された経路情報を含めてメッセージを作成する。
【００５５】
このように作成されたメッセージは、メッセージ送信部４０９によって送信され、携帯電話３０のディスプレイに表示される。図８は、携帯電話３０に表示される緊急用のメッセージの一例である。緊急用のメッセージは、図７で示す通常用のメッセージと基本的には同じであるため、異なる点のみを以下説明する。図８では、タイトル３０４に緊急である旨が表示される。このとき、「緊急通知」のフラグを表示してもよい。また、緊急用のメッセージには、図７で示すボタン３０６の表示はないが、ファイルが添付されていることが表示される。図８の３０７をクリックすることにより、添付ファイルが開封され、経路情報がディスプレイに表示される。
【００５６】
また、位置情報記憶部４１１は、読取端末１００が設置された施設への経路情報をカードリーダＩＤに対応づけて記憶する。そのため、通常用の読取モードを有するカードリーダ２０Ｂがユーザ端末１０の提示を受け付けたとき、メッセージ送信部４０９は、メッセージの送信とともにＰＣ５０に経路情報の要否を問い合わせることができる。上述のように、経路情報の要求を携帯電話３０から受け付けたとき、抽出部４０５は、読取端末１００から受信されたカードリーダＩＤに対応する経路情報を位置情報記憶部４１１から抽出する。メッセージ送信部４０９は、抽出された経路情報を要求のあった携帯電話３０に送信する。
【００５７】
ポイントデータベース４１３には、ポイントが施設ごとに記憶される。ポイントは、カードリーダＩＤと対応づけられている。管理サーバ４０は、ユーザ端末１０から取得された学童ＩＤと関連付けられたカードリーダＩＤを読取端末１００から取得したとき、ポイントデータベース４１３にポイントをインクリメントする。こうすることにより、カードリーダ２０が受けた通知の回数をカウントすることができ、その数量に比例したポイントを付与することができる。施設は付与されたポイント数に応じて自治体、商工会などから運転資金の補助が得ることができる。こうすることにより、施設にカードリーダの設置について理解を得ることができる。
【００５８】
ポイントは、カードリーダ２０の読取モードによって付与される数が異なっていてもよい。たとえば、緊急用のみ読取モードを有するカードリーダ２０Ａから学童ＩＤを読み取った場合は３ポイント付与し、通常用の読取モードを有するカードリーダ２０Ｂから学童ＩＤを読み取った場合は１ポイント付与してもよい。
【００５９】
上述のような読取端末１００および管理サーバ４０の各部は、必要により各種のハードウェアを利用して実現される。しかし、位置情報通知システムが実装されているコンピュータプログラムに対応して機能することにより実現されている。
【００６０】
このようなコンピュータプログラムは、例えば、移動体識別情報を格納する非接触データキャリアから移動体識別情報を取得する移動体識別情報取得処理、読取端末を個々に識別する端末識別情報を記憶する端末識別情報記憶処理、取得された移動体識別情報と、記憶された端末識別情報とを関連づけて管理サーバに送信する情報送信処理、等の処理動作をＣＰＵ等に実行させるためのソフトウェアとしてＲＡＭ等の情報記憶媒体に格納されている。
【００６１】
また、このようなコンピュータプログラムは、例えば、移動体の位置情報を通知する利用者端末の宛先を移動体情報に対応づけて記憶する利用者情報記憶処理、施設の位置情報を端末識別情報に対応づけて記憶する位置情報記憶処理と、受信した移動体情報に対応する宛先と、受信した端末識別情報に対応する施設の位置情報とをそれぞれ抽出する抽出処理と、抽出された施設の位置情報と、受信した移動体情報とを含めてメッセージを作成するメッセージ作成処理と、抽出された宛先に、作成されたメッセージを送信するメッセージ送信処理、等の処理動作をＣＰＵ等に実行させるためのソフトウェアとしてＲＡＭ等の情報記憶媒体に格納されている。
【００６２】
上述のような構成において、本実施の形態の移動体情報通知方法を以下に説明する。
【００６３】
次に、図４のフローチャートを参照して、本実施形態の第１の移動体情報通知方法の動作について詳細に説明する。まず、学童が店舗等の施設に入場し、ユーザ端末１０をカードリーダ２０にかざす（タッチする）（Ｓ１０１）。次に、カードリーダ２０にかざされたユーザ端末１０から読取端末１００にユーザ情報が送出され（Ｓ１０２）、ＰＣ５０において、学童ＩＤが読み取られる（Ｓ１０３）。ＰＣ５０は、利用履歴をユーザ端末１０に送出し、利用履歴がユーザ端末１０に書き込まれる（Ｓ１０４）。
【００６４】
ＰＣ５０は、カードリーダＩＤとして、端末識別情報（図４では、位置情報ＩＤ）を記憶部２０３に記憶する。そのため、学童ＩＤが読み取られると、ＰＣ５０はカードリーダＩＤを学童ＩＤに付与し（Ｓ１０５）、管理サーバ４０に送出する（Ｓ１０６）。この動作はカードリーダ２０が接続されたＰＣ５０上で行われ、必要となる専用ソフトをＣＤ媒体等で簡単にインストールできるものとする。
【００６５】
次に管理サーバ４０において、位置情報記憶部４１１を参照し、カードリーダＩＤと位置情報の照会を行う（Ｓ１０７）。また、保護者情報記憶部４０１を参照し、学童ＩＤから位置情報の宛先の照会を行う（Ｓ１０８）。メッセージ作成部４０７は、学童ＩＤから得られた宛先にあてたメッセージ（図４では連絡メール文）を生成し（Ｓ１０９）、ネット回線１、携帯電話網２を通じて携帯電話３０（図４では保護者携帯３０）にメール送信する（Ｓ１１０）。
【００６６】
携帯電話３０がメールを受信し、確認する（Ｓ１１１）。メッセージの内容に基づき、保護者または教師は、ユーザ端末１０がかざされたカードリーダ２０が設置されている店舗等の施設へ出迎えが必要か否かを判断する（Ｓ１１２）。出迎えが必要と判断された場合（Ｓ１１２Ｙ）、行き方がわからない場合（Ｓ１１３Ｎ）には、経路情報（図４では、地図情報）を要求する。管理サーバ４０は、要求された経路情報を検索し（Ｓ１１４）、検索結果を送出する（Ｓ１１５）。携帯電話３０は、経路情報を入手するとディスプレイに表示させる。保護者は表示された経路情報にしたがって、学童のいる施設に向かい、現地で学童を出迎える（Ｓ１１６）。最後に、学童の出迎えが完了すると（Ｓ１１７）、保護終了を確認するために保護者向けに発行されたユーザ端末１０をカードリーダ２０にかざす（Ｓ１１８）。これにより、管理サーバ４０に学童の保護終了の情報を送出することができる（Ｓ１１９）。管理サーバ４０は、保護終了を確認する（Ｓ１２０）。なお、現場への出迎えが必要でない場合（Ｓ１１２Ｎ）は、処理を終了する。また、施設への行き方がわかる場合（Ｓ１１３Ｙ）は、保護者は、現地へ出迎え（Ｓ１１６）、Ｓ１１７〜Ｓ１２０の動作が行われる。
【００６７】
管理サーバ４０は、保護終了を携帯電話３０に通知してもよい。したがって、保護者が複数いる場合、出迎えに行かなかった者も学童の保護を知ることでき、安堵することができる。
【００６８】
次に、図５のフローチャートを参照して、本実施形態の第２の移動体情報通知方法の動作について詳細に説明する。第２の移動体情報通知方法は第１の移動体情報通知方法をベースとする。
【００６９】
まず、学童が施設に入場し、ユーザ端末１０をカードリーダ２０にかざす（タッチする）（Ｓ２０１）。ユーザ端末１０からユーザ情報が読取端末１００に送出される（Ｓ２０２）。次に、カードリーダ２０がかざされたカードのユーザ情報から学童ＩＤを読み取る（Ｓ２０３）。学童ＩＤが読み取られると読み取った履歴がその履歴としてユーザ端末１０に送出されユーザ端末１０に格納される（Ｓ２０４）。履歴情報は、たとえば、カードリーダＩＤと、読み取られた時刻とを関連づけた情報である。カードリーダＩＤが学童ＩＤに付与されて（Ｓ２０５）管理サーバ４０に送出される（Ｓ２０６）。管理サーバ４０は、保護者情報記憶部４０１に記憶されたカードリーダＩＤと、位置情報との照会を行う。抽出部４０５が位置情報記憶部４１１を参照し、受信したカードリーダＩＤに対応する位置情報を検知して抽出する（Ｓ２０７）。このとき、抽出部４０５は、ポイントデータベース４１３を参照し、受信したカードリーダＩＤに対応するポイントをインクリメントする（Ｓ２０８、Ｓ２０９）。インクリメントされる（Ｓ２０８Ｙ）と、管理サーバ４０が検知した位置情報の件数を施設ごとに集計し（Ｓ２１０）、各施設にインセンティブとしてポイントを付与する（Ｓ２１１）。各施設は付与されたポイントを基に自治体、あるいは商工会議所においてカードリーダ２０の設置について運転資金として補助金を得る（Ｓ２１２）。これにより、カードリーダ２０の設置に対するメリットを各施設に提供することができる。
【００７０】
さらに、図６のフローチャートを参照して、本実施形態の第３の移動体情報通知方法の動作について詳細に説明する。第３の移動体情報通知方法もまた第１の移動体情報通知方法をベースとする。
【００７１】
まず、学童が施設に入場した際（Ｓ３０１）、緊急事態にあるかどうかを基準にカードリーダ２０の使い分けを行う（Ｓ３０２）。緊急事態の場合（Ｓ３０２Ｙ）にはカードリーダ２０Ａにユーザ端末１０をかざす（Ｓ３０３）。次に、ユーザ情報が読み込まれ（Ｓ３０４）、抽出された学童ＩＤにカードリーダＩＤが付与されて管理サーバ４０に送出される（Ｓ３０５）。管理サーバ４０に構築されている緊急通知システム（Ｓ３０６）を用いて携帯電話３０に駆け付け指示を行う（Ｓ３０７）。Ｓ３０６では、具体的には、メッセージ作成部４０７において、図８で示すような緊急用のメッセージが作成される。Ｓ３０７では、作成された緊急用のメッセージがメッセージ送信部４０９から送信される。駆け付け指示は、緊急用のフラグを立てた経路情報を含むメッセージを送信することにより行われる。携帯電話３０は、緊急用のフラグが立てられたメッセージを受信（緊急受信）する。携帯電話３０は、緊急受信を受けて（Ｓ３０８）、メッセージに含まれる経路情報に従って、カードリーダＡの設置場所へ駆け付ける（Ｓ３０９）。緊急事態にある学童は保護者の出迎えを受ける（Ｓ３１０）。最後に、ユーザの出迎えが完了すると保護終了を確認するために保護者向けに発行されたユーザ端末１０をカードリーダ２０にかざす（Ｓ３１８）。これにより、カードリーダ２０Ａと接続されているＰＣ５０は、保護者ＩＤを読み取り（Ｓ３１９）、保護者ＩＤを送出することにより、管理サーバ４０に保護終了の情報を送出する（Ｓ３２０）。これにより、保護終了のステータスが登録される（Ｓ３２１）。保護終了のステータスの登録は、学童の保護監視状態が解除の登録がなされることにより行われる。
【００７２】
一方、緊急事態でない場合（Ｓ３０２Ｎ）は、カードリーダ２０Ｂにユーザ端末１０をかざす（Ｓ３１１）。次に、ユーザ情報が読み込まれ（Ｓ３１２）、抽出された学童ＩＤにカードリーダＩＤが付与されて管理サーバ４０に送出される（Ｓ３１３）。管理サーバ４０に構築されている定期連絡システム（Ｓ３１４）を用いて図７で示すような連絡メッセージが作成され（Ｓ３１５）、携帯電話３０で定期受信が実行される（Ｓ３１６）。保護者は、メッセージを確認し（Ｓ３１７）、処理を終了する。Ｓ３１４〜Ｓ３１７で示す動作は、図４のフローのＳ１０７からＳ１１１と同じである。
【００７３】
つづいて、本実施形態の効果について図１〜３を用いつつ説明する。本実施形態の移動体情報通知システムによれば、読取端末１００を用いて移動体（学童）の情報を取得することにより、移動体（学童）の位置情報を利用者端末（保護者）に送信することができる。したがって、ＧＰＳシステムのような高価な方法によらず、安価な方法で保護者に学童の所在を知らせることができる。
【００７４】
従来は親が子供向け携帯電話を個別に買い与え、携帯電話のＧＰＳ機能を用いて子供の所在を確認したり、緊急時には子供が自分の位置を親に知らせていた。しかし、費用負担が大きいこともあり、安全を確認する手段は各家庭に委ねられていた。したがって、学校、地域として組織的な安全確認のしくみになりえなかった。また、必要な費用のうち、所在（安全）情報の通知・確認にかかった費用を切り出すことが困難であることから、すべての家庭に導入を義務付けたり、自治体側が費用を負担することが難しいという問題点があった。
【００７５】
しかしながら、本実施形態の移動体情報通知システムによれば、学童に携帯させる交通ＩＣカード等のユーザ端末１０を街中の不特定な拠点（コンビニ、こども１１０番店舗、公共施設など）に設置されたカードリーダ２０に接触（タッチ）させることにより、学童の所在（安全）情報を保護者に通知することができる。したがって、ユーザは、携帯電話等を用いずに、安価に安心安全用位置情報サービスを利用することができる。また、緊急時と通常時を区分けして保護者に通知することもできる。
【００７６】
また、本実施形態の移動体情報通知システムによれば、汎用的で低価格なカードリーダ２０と交通ＩＣカード等のユーザ端末１０を用いて学童の位置情報通知を容易に安価に実現することができる。また、安価な初期費用とランニングコストにより、公立小中学校などの公共施設においても一律適用を実現することができる。また、カードリーダの設置場所を店舗とする場合においても、利用回数に応じてポイント付与することにより、現状インフラを有効に利用する手段を有し、積極的な協力を促進することができる。したがって、店舗にカードリーダの設置について、インセンティブを提供することができる。
【００７７】
また、本実施形態の移動体情報通知システムによれば、交通ＩＣカードのユーザ端末１０と、安価な汎用カードリーダ２０などで学童の位置情報通知サービス環境を構築することができる。本実施形態によれば、学童の位置情報通知サービスの運用を容易に行うことができるため、一般の個人店舗などにもカードリーダ２０を設置することができ、あらゆる場所にカードリーダを設置することが可能となる。
【００７８】
また、本実施形態の移動体情報通知システムによれば、カードリーダ２０を設置した店舗に対して、その利用実績に応じたポイントを付与することができる。したがって、そのインセンティブ効果により、カードリーダ２０の設置を継続させたり、新たな設置先を増やしたりすることができる。
【００７９】
また、本実施形態の移動体情報通知システムによれば、カードリーダ２０を２台設置し、状況に応じて端末の使い分けを行えるように構成することができる。したがって、保護者は、緊急時の連絡で出迎えを要する場合と、安全であることを示す定時連絡を行っている場合を識別することができる。
【００８０】
また、本実施形態の移動体情報通知システムによれば、学童の安心安全管理を一律に実施できる。本実施形態は、交通ＩＣカード等の非接触データキャリア機能を活用しているため学童側にかかるコストがほとんど必要なく、従来からあるこども１１０番などのインフラを活用したしくみとなっている。そのため、インフラ構築にコストや障壁が生じず、学童の利用という場合においてはＧＰＳ機能を有する携帯電話と同等の位置情報を提供することができる。
【００８１】
また、本実施形態の移動体情報通知システムによれば、施設をこども１１０番などへの積極的な参加に向かわせるインセンティブ機能がある。その理由は、本システムを構成するカードリーダ２０を設置した店舗ごとにその利用実績に応じたポイントをインセンティブとして付与する機能を提供しているからである。
本実施形態では、ポイントの付与に関するデータの流れが、購買行為により生じているものではなく、常時においては立ち寄り行為、緊急時においては駆け込み行為が行われた回数に基づくものである。また、ポイントの付与が対顧客に行われるのではなく、カードリーダ２０を設置・運用している店舗に対するインセンティブとして行われている。そのポイントは店舗自体が利用することができる。
【００８２】
また、本実施形態の移動体情報通知システムによれば、学童が緊急事態にあり、出迎えを必要としているかどうかを知らせることができる。その理由は、緊急用モードおよび通常用モードの２種類の読取モードからなるカードリーダを設置し、学童がおかれている状況に応じて、リーダ端末を使い分け、緊急時とそれ以外を区別する機能を提供しているからである。
【００８３】
また、本実施形態によれば、安価で設置・利用が容易なカードリーダを用いるため、任意の「置ける場所」にカードリーダを設置することができる。したがって、費用がかさむＧＰＳ携帯サービスの代替として安価な位置情報インフラを実現することができる。
【００８４】
また、マネーカードや交通ＩＣカードは、外出時に常時携帯している可能性が高い。したがって、ユーザ端末１０として、マネーカードや交通ＩＣカードを採用することにより、緊急時にも対応することが可能となる。
【００８５】
以上、図面を参照して本発明の実施形態について述べたが、これらは本発明の例示であり、上記以外の様々な構成を採用することもできる。
【００８６】
たとえば、本発明によれば、アミューズメントパークなどでのスポット通過履歴（お化け屋敷など）サービスといった用途に適用できる。また、商業施設などでのポイントラリー、購入金額に応じた駐車場サービスへの応用といった用途にも適用可能である。
【００８７】
また、本実施形態において、移動体として学童を、利用者端末として、保護者に携帯される携帯電話を例に挙げて説明した。しかしながら、移動体が介護される病人や老人であっても本発明を適用することができる。
【００８８】
さらに、本実施の形態では移動体情報通知システムの各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００８９】
また、上記形態ではデータネットワークとして現状のインターネットを例示したが、これが次世代のインターネットであるＮＧＮ（Ｎｅｘｔ  Ｇｅｎｅｒａｔｉｏｎ  Ｎｅｔｗｏｒｋ）でもよい。
【００９０】
なお、当然ながら、上述した実施の形態および複数の変形例は、その内容が相反しない範囲で組み合わせることができる。また、上述した実施の形態および変形例では、各部の構造などを具体的に説明したが、その構造などは本発明を満足する範囲で各種に変更することができる。
（付記）
（発明１）
移動体ごとに携帯された非接触データキャリアを読み取る読取端末と、
施設ごとに設置された前記読取端末とネットワークを介して接続している管理サーバと、
を有する移動体情報通知システムであって、
前記読取端末は、
移動体識別情報を格納する前記非接触データキャリアから前記移動体識別情報を取得する移動体識別情報取得手段と、
前記読取端末を個々に識別する端末識別情報を記憶する端末識別情報記憶手段と、
取得された前記移動体識別情報と、記憶された前記端末識別情報とを関連づけて前記管理サーバに送信する情報送信手段と、を備え、
前記管理サーバは、
移動体の位置情報を通知する利用者端末の宛先を前記移動体識別情報に対応づけて記憶する利用者情報記憶手段と、
前記施設の位置情報を前記端末識別情報に対応づけて記憶する位置情報記憶手段と、
受信した前記移動体情報に対応する前記宛先と、受信した前記端末識別情報に対応する前記施設の位置情報とをそれぞれ抽出する抽出手段と、
抽出された前記施設の位置情報と、受信した前記移動体情報とを含めてメッセージを作成するメッセージ作成手段と、
抽出された前記宛先に、作成された前記メッセージを送信するメッセージ送信手段と、
を備えることを特徴とする移動体情報通知システム。  
（発明２）
通常用の読取モードまたは緊急用の読取モードにより、前記移動体から前記非接触データキャリアの提示を受け付けるデータキャリア受付手段をさらに有し、
前記情報送信手段は、前記非接触データキャリアを受け付けたときの前記読取モードを示すモード情報とともに、取得した前記移動体識別情報を前記管理サーバに送信することを特徴とする発明１に記載の移動体情報通知システム。
（発明３）
前記位置情報記憶手段は、前記読取端末が設置された前記施設への経路情報を前記端末識別情報に対応づけて記憶し、
前記データキャリア受付手段が前記緊急用の読取モードにより前記非接触データキャリアの提示を受け付けたとき、前記抽出手段は、受信した前記端末識別情報に対応する前記経路情報を抽出し、
前記メッセージ作成手段は、抽出された前記経路情報を含めて前記メッセージを作成することを特徴とする発明２に記載の移動体情報通知システム。
（発明４）
前記位置情報記憶手段は、前記読取端末が設置された前記施設への経路情報を前記端末識別情報に対応づけて記憶し、
前記データキャリア受付手段が前記通常用の読取モードにより前記非接触データキャリアの提示を受け付けたとき、前記メッセージ送信手段は、前記メッセージの送信とともに前記利用者端末に前記経路情報の要否を問い合わせることを特徴とする発明２または３に記載の移動体情報通知システム。
（発明５）
前記経路情報の要求を前記利用者端末から受け付けたとき、前記抽出手段は、受信した前記端末識別情報に対応する前記経路情報を抽出し、前記メッセージ送信手段は、抽出された前記経路情報を送信することを特徴とする発明４に記載の移動体情報通知システム。
（発明６）
前記非接触データキャリアから前記移動体識別情報を取得したとき、ポイントをインクリメントするポイント蓄積手段をさらに備えることを特徴とする発明１乃至５いずれかに記載の移動体情報通知システム。
（発明７）
発明１乃至６いずれかに記載の移動体情報通知システムが有する読取端末によって、
情報を読み取られる非接触データキャリアであって、乗車券を共用することを特徴とする非接触データキャリア。
（発明８）
発明１乃至６いずれかに記載の移動体情報通知システムが有する読取端末であって、
移動体識別情報を格納する前記非接触データキャリアから前記移動体識別情報を取得する移動体識別情報取得手段と、
前記読取端末を個々に識別する端末識別情報を記憶する端末識別情報記憶手段と、
取得された前記移動体識別情報と、記憶された前記端末識別情報とを関連づけて前記管理サーバに送信する情報送信手段と、
を備えることを特徴とする読取端末。
（発明９）
発明１乃至６いずれかに記載の移動体情報通知システムが有する管理サーバであって、
移動体の位置情報を通知する利用者端末の宛先を前記移動体情報に対応づけて記憶する利用者情報記憶手段と、
前記施設の位置情報を前記端末識別情報に対応づけて記憶する位置情報記憶手段と、
受信した前記移動体情報に対応する前記宛先と、受信した前記端末識別情報に対応する前記施設の位置情報とをそれぞれ抽出する抽出手段と、
抽出された前記施設の位置情報と、受信した前記移動体情報とを含めてメッセージを作成するメッセージ作成手段と、
抽出された前記宛先に、作成された前記メッセージを送信するメッセージ送信手段と、
を備えることを特徴とする管理サーバ。
（発明１０）
発明８に記載の読取端末のデータ処理方法であって、
前記移動体識別情報を格納する前記非接触データキャリアから前記移動体識別情報を取得するステップと、
前記読取端末を個々に識別する前記端末識別情報を取得するステップと、
取得された前記移動体識別情報と、取得された前記端末識別情報とを関連づけて前記管理サーバに送信するステップと、
を含むことを特徴とするデータ処理方法。
（発明１１）
発明９に記載の管理サーバのデータ処理方法であって、
移動体の位置情報を通知する利用者端末の宛先を前記移動体情報に対応づけて取得するステップと、
前記施設の位置情報を前記端末識別情報に対応づけて取得するステップと、
受信した前記移動体情報に対応する前記宛先と、受信した前記端末識別情報に対応する前記施設の位置情報とをそれぞれ抽出するステップと、
抽出された前記施設の位置情報と、受信した前記移動体情報とを含めてメッセージを作成するステップと、
抽出された前記宛先に、作成された前記メッセージを送信するステップと、
を含むことを特徴とするデータ処理方法。
（発明１２）
発明８に記載の読取端末のためのコンピュータプログラムであって、
前記移動体識別情報を格納する前記非接触データキャリアから前記移動体識別情報を取得する移動体識別情報取得処理と、
前記読取端末を個々に識別する前記端末識別情報を記憶する端末識別情報記憶処理と、
取得された前記移動体識別情報と、記憶された前記端末識別情報とを関連づけて前記管理サーバに送信する情報送信処理と、
を前記読取端末に実行させることを特徴とするコンピュータプログラム。
（発明１３）
発明９に記載の管理サーバのためのコンピュータプログラムであって、    
移動体の位置情報を通知する利用者端末の宛先を前記移動体情報に対応づけて記憶する利用者情報記憶処理と、
前記施設の位置情報を前記端末識別情報に対応づけて記憶する位置情報記憶処理と、
受信した前記移動体情報に対応する前記宛先と、受信した前記端末識別情報に対応する前記施設の位置情報とをそれぞれ抽出する抽出処理と、
抽出された前記施設の位置情報と、受信した前記移動体情報とを含めてメッセージを作成するメッセージ作成処理と、
抽出された前記宛先に、作成された前記メッセージを送信するメッセージ送信処理と、
を前記管理サーバに実行させることを特徴とするコンピュータプログラム。
【図面の簡単な説明】
【００９１】
【図１】実施の形態に係る移動体情報通知システムの全体構成を示す説明図である。
【図２】実施の形態に係る読取端末の構成を模式的に示すブロック図である。
【図３】実施の形態に係る管理サーバの構成を模式的に示すブロック図である。
【図４】実施の形態に係る移動体情報通知方法の一例を示すフローチャートである。
【図５】実施の形態に係る移動体情報通知方法の一例を示すフローチャートである。
【図６】実施の形態に係る移動体情報通知方法の一例を示すフローチャートである。
【図７】実施の形態に係る携帯電話に表示されるメッセージの一例である。
【図８】実施の形態に係る携帯電話に表示されるメッセージの一例である。
【符号の説明】
【００９２】
１    ネット回線
２    携帯電話網
１０    ユーザ端末
２０    カードリーダ
２０Ａ    カードリーダ
２０Ｂ    カードリーダ
３０    携帯電話
４０    管理サーバ
１００    読取端末
２０１    学童ＩＤ取得部
２０３    端末識別情報記憶部
２０５    情報送信部
３０１    日時
３０２    宛先
３０３    発信元
３０４    タイトル
３０５    本文
３０６    ボタン
４０１    保護者情報記憶部
４０３    情報受信部
４０５    抽出部
４０７    メッセージ作成部
４０９    メッセージ送信部
４１１    位置情報記憶部
４１３    ポイントデータベース
【図１】
0005169270.tif 000002
【図２】
0005169270.tif 000003
【図３】
0005169270.tif 000004
【図４】
0005169270.tif 000005
【図５】
0005169270.tif 000006
【図６】
0005169270.tif 000007
【図７】
0005169270.tif 000008
【図８】
0005169270.tif 000009